【手続補正書】
【提出日】平成16年3月22日(2004.3.22)
【手続補正１】
【補正対象書類名】明細書
【補正対象項目名】特許請求の範囲
【補正方法】変更
【補正の内容】
【特許請求の範囲】
【請求項１】  感圧接着剤である少なくとも１．４８の屈折率を有する組成物。
【請求項２】  前記感圧接着剤は、（メタ）アクリル官能基を含む少なくとも一種のモノマーを含む請求項１に記載の組成物。
【請求項３】  前記感圧接着剤は以下の式
【化１】
2003535921.tif 000001
（式中、
Ａｒは、Ｂｒyおよび（Ｒ3）zからなる群から選択された置換基で置換されているか、あるいは置換されていない芳香族基であり、
ここでｙは、芳香族基に結合された臭素置換基の数を表し、それは０〜３の整数であり、
Ｒ3は炭素数２〜１２の直鎖または分岐アルキルであり、
ｚは、芳香族環に結合されたＲ3置換基の数を表し、それは０〜１の整数であり、但し、ｙとｚの両方が０であることはなく、
Ｘは、酸素または硫黄のいずれかであり、
ｎは０〜３であり、
Ｒ1は、炭素数２〜１２の非置換直鎖または分岐アルキレン連結基であり、
Ｒ2は、ＨまたはＣＨ3のいずれかである。）の少なくとも一種の芳香族モノマーを含む、請求項１に記載の組成物。
【請求項４】  以下の式
【化２】
2003535921.tif 000002
（式中、
Ａｒは、ｉ）置換または非置換ナフチルであるか、または、ii）Ｂｒyおよび（Ｒ3）zからなる群から選択された置換基で置換された芳香族基であり、
ここでｙは、芳香族基に結合された臭素置換基の数を表し、それは０〜３の整数であり、
Ｒ3は炭素数２〜１２の直鎖または分岐アルキルであり、
ｚは、芳香族環に結合されたＲ3置換基の数を表し、それは０〜１の整数であり、但し、ｙとｚの両方が０であることはなく、
Ｘは、酸素または硫黄のいずれかであり、
ｎは０〜３であり、
Ｒ1は、炭素数２〜１２の非置換直鎖または分岐アルキレン連結基であり、
Ｒ2は、ＨまたはＣＨ3のいずれかである。）の少なくとも一種の芳香族モノマーを含む感圧接着剤。
【請求項５】  ｚは１であり、Ｒ3は炭素数２〜８の直鎖または分岐アルキルである請求項４に記載の感圧接着剤。
【請求項６】  Ａｒはナフチル基である請求項４に記載の感圧接着剤。
【請求項７】  ｎは０または１である請求項４に記載の感圧接着剤。
【請求項８】  屈折率は少なくとも１．４８である請求項４に記載の感圧接着剤。
【請求項９】  炭素数１〜１２の非第三アルキルアルコールのモノマーアクリル酸エステルまたはモノマーメタクリル酸エステルからなる群から選択された少なくとも一種のアクリルモノマーをさらに含む請求項４に記載の感圧接着剤。
【請求項１０】  前記芳香族モノマーと共重合可能な少なくとも一種の極性モノマーをさらに含む請求項４に記載の感圧接着剤。
【請求項１１】  炭素数１〜１２の非第三アルキルアルコールのモノマーアクリル酸エステルまたはモノマーメタクリル酸エステルからなる群から選択された少なくとも一種のアクリルモノマーと、
前記芳香族モノマーおよび前記アクリルモノマーと共重合可能な少なくとも一種の極性モノマーとをさらに含む請求項４に記載の感圧接着剤。
【請求項１２】  前記アクリルモノマーは、１−ブタノール、１−ペンタノール、２−ペンタノール、３−ペンタノール、２−メチル−１−ブタノール、１−メチル−１−ブタノール、１−メチル−１−ペンタノール、２−メチル−１−ペンタノール、３−メチル−１−ペンタノール、２−エチル−１−ブタノール、２−エチル−１−ヘキサノール、３，５，５−トリメチル−１−ヘキサノール、３−ヘプタノール、２−オクタノール、１−デカノール、１−ドデカノールのモノマーアクリル酸エステルまたはモノマーメタクリル酸エステルおよびそれらの混合物からなる群から選択される請求項９に記載の感圧接着剤。
【請求項１３】  前記極性モノマーは、エチレン系不飽和カルボン酸、エチレン系不飽和スルホン酸、エチレン系不飽和燐酸、アクリルアミド、Ｎ，Ｎ−ジアルキル置換アクリルアミド、Ｎ−ビニルラクタム、Ｎ，Ｎ−ジアルキルアミノアルキルアクリレート、エチレン系不飽和ニトリルおよびそれらの混合物からなる群から選択される請求項１０に記載の感圧接着剤。
【請求項１４】  前記極性モノマーは、アクリル酸、メタクリル酸、イタコン酸、アクリルアミド、メタクリルアミド、アクリロニトリル、メタクリロニトリルおよびそれらの混合物からなる群から選択される請求項１３に記載の感圧接着剤。
【請求項１５】  前記芳香族モノマーは、６−（４，６−ジブロモ−２−イソプロピルフェノキシ）−１−ヘキシルアクリレート、６−（４，６−ジブロモ−２−ｓｅｃ−ブチルフェノキシ）−１−ヘキシルアクリレート、２，６−ジブロモ−４−ノニルフェニルアクリレート、２，６−ジブロモ−４−ドデシルフェニルアクリレート、２−（１−ナフチルオキシ）−１−エチルアクリレート、２−（２−ナフチルオキシ）−１−エチルアクリレート、６−（１−ナフチルオキシ）−１−ヘキシルアクリレート、６−（２−ナフチルオキシ）−１−ヘキシルアクリレート、８−（１−ナフチルオキシ）−１−オクチルアクリレート、８−（２−ナフチルオキシ）−１−オクチルアクリレートおよびフェノキシエチルアクリレートからなる群から選択される請求項４に記載の感圧接着剤。
【請求項１６】  架橋剤をさらに含む請求項１１に記載の感圧接着剤。
【請求項１７】  ビニルエステル、酢酸ビニル、２−ヒドロキシエチルアクリレート、スチレンおよびそれらの混合物からなる群から選択された一種以上のモノマーをさらに含む請求項１１に記載の感圧接着剤。
【請求項１８】  粘着性付与剤をさらに含む請求項１１に記載の感圧接着剤。
【請求項１９】  可塑剤をさらに含む請求項１１に記載の感圧接着剤。
【請求項２０】  前記芳香族モノマーは２−フェニルチオ−１−エチルアクリレートである請求項４に記載の感圧接着剤。
【請求項２１】  請求項４〜２０のいずれか１項に記載の感圧接着剤又は請求項１〜３のいずれか１項に記載の組成物で被覆された基材。
【請求項２２】  前記基材の材料は、紙、ポリプロピレン、ポリエチレン、ポリ塩化ビニル、ポリエステル、酢酸セルロース、エチルセルロース、三酢酸セルロース、織布、エアレイドウェブ、金属、金属化ポリマーフィルム、およびセラミックシート材料からなる群から選択される請求項２１に記載の基材。
【請求項２３】  前記被覆された基材は、ラベル、テープ、標識、カバーおよびマーキングインデックスからなる群から選択される請求項２１に記載の基材。
【手続補正２】
【補正対象書類名】明細書
【補正対象項目名】００２０
【補正方法】変更
【補正の内容】
【００２０】
本発明の芳香族モノマーは、以下の一般式（Ｉ）によって表される。
【化３】
2003535921.tif 000003
式中、Ａｒは、Ｂｒyおよび（Ｒ3）zからなる群から選択された置換基で置換されているか、あるいは置換されていない芳香族基であり、ここでｙは、芳香族基に結合された臭素置換基の数を表し、それは０〜３の整数であり、Ｒ3は炭素数２〜１２の直鎖または分岐アルキルであり、ｚは、芳香族環に結合されたＲ3置換基の数を表し、それは０〜１の整数であり、但し、ｙとｚの両方が０であることはなく、Ｘは、酸素または硫黄のいずれかであり、ｎは０〜３であり、好ましくはｎは０または１であり、Ｒ1は、炭素数２〜１２、好ましくは炭素数２〜８の非置換直鎖または分岐アルキレン連結基であり、Ｒ2は、ＨまたはＣＨ3のいずれかである。
【手続補正３】
【補正対象書類名】明細書
【補正対象項目名】００２１
【補正方法】変更
【補正の内容】
【００２１】
芳香族モノマーの一つの実施形態において、Ｘは酸素である。芳香族モノマーのこの実施形態内で、モノマーの群は、Ａｒがナフチルであり、Ｒ1、Ｒ2およびｎが上で定義された通りである式（ＩＩ）のモノマーを含む。
【化４】
2003535921.tif 000004
ナフチル基は、上述したように置換されているか、あるいは置換されていない。ナフチル芳香族モノマーの群内で、もう一つの群は、Ａｒが１−ナフチルまたは２−ナフチルである群である。
【手続補正４】
【補正対象書類名】明細書
【補正対象項目名】００２２
【補正方法】変更
【補正の内容】
【００２２】
Ｘが酸素である芳香族モノマーの実施形態内で、モノマーのもう一つの群は、Ａｒがフェニルであり、Ｒ1、Ｒ2およびｎが上で定義された通りである式（ＩＩＩ）のモノマーを含む。
【化５】
2003535921.tif 000005
フェニル基は、上述したように置換されているか、あるいは置換されていない。フェニル芳香族モノマーの置換された群内で、好ましくは、フェニルはジブロモで置換されている。臭素で置換された群内で、フェニルモノマーは、２−アルキル置換または４−アルキル置換であってもよい。
【手続補正５】
【補正対象書類名】明細書
【補正対象項目名】００２３
【補正方法】変更
【補正の内容】
【００２３】
芳香族モノマーの別の実施形態において、Ｘは硫黄である。芳香族モノマーのこの実施形態内で、モノマーの群は、Ａｒがナフチルであり、Ｒ1、Ｒ2およびｎが上で定義された通りである式（ＩＶ）のモノマーを含む。
【化６】
2003535921.tif 000006
ナフチル基は、上述したように置換されているか、あるいは置換されていない。ナフチル芳香族モノマーの群内で、別の群は、Ａｒが１−ナフチルまたは２−ナフチルである群である。
【手続補正６】
【補正対象書類名】明細書
【補正対象項目名】００２４
【補正方法】変更
【補正の内容】
【００２４】
Ｘが硫黄である芳香族モノマーの実施形態内で、モノマーのもう一つの群は、Ａｒがフェニルであり、Ｒ1、Ｒ2およびｎが上で定義された通りである式（Ｖ）のモノマーを含む。
【化７】
2003535921.tif 000007
フェニル基は、上述したように置換されているか、あるいは置換されていない。フェニル芳香族モノマーのこの群内で、好ましくは、フェニルはジブロモで置換されている。もう一つの群において、フェニルモノマーは、２−アルキル置換または４−アルキル置換であってもよい。